(57)【特許請求の範囲】
【請求項１】
−  内燃機関のシリンダ内の圧力を測定するために、鋼製で、前記内燃機関のシリンダヘッドに取り付け可能なシリンダ形状筐体であって、前記シリンダ形状筐体が前記内燃機関の前記シリンダヘッドに取り付けられる際に、前記内燃機関の前記シリンダ内の圧力及び高温環境に露出される外面と、底面とを有するシリンダ形状筐体と、
−  静止電極と、弾性的に屈曲可能な電極とを有する可変キャパシタであって、前記静止電極が、前記弾性的に屈曲可能な電極と略平行な前記シリンダ形状筐体の中に配置され、鋼製の前記シリンダ形状筐体の前記底面を形成する前記弾性的に屈曲可能な電極が、前記底面にかけられた圧力に反応して曲げられるように配設され、これにより、前記可変キャパシタの可変キャパシタンスが、前記底面にかけられた前記圧力を表す、可変キャパシタと、
−  前記シリンダ形状筐体から前記静止電極を絶縁し、前記静止電極と前記弾性的に屈曲可能な電極との間の空隙を画定する絶縁構造と
を備える容量性圧力センサ。
【請求項２】
前記静止電極が、前記筐体の前記外面に対し略垂直に配置される、請求項１に記載の容量性圧力センサ。
【請求項３】
前記可変キャパシタの前記可変キャパシタンスに基づく信号を生成するように構成された回路を備え、前記信号が、前記底面にかけられた前記圧力を表す、請求項１または２に記載の容量性圧力センサ。
【請求項４】
前記底面と前記回路との間に少なくとも部分的に配置された断熱構成部品を更に備える、請求項３に記載の容量性圧力センサ。
【請求項５】
前記弾性的に屈曲可能な電極が、前記底面にかけられた２ＭＰａ（２０ｂａｒ）より小さい圧力で弾性的に屈曲可能である、請求項１から４までのいずれか一項に記載の容量性圧力センサ。
【請求項６】
前記底面（１２）と前記回路（３０）との間の熱伝導率が、３．５Ｗ／（ｍ・Ｋ）未満である、請求項３に記載の容量性圧力センサ。
【請求項７】
前記静止電極に電気的に接続された第１の伝導構造体と、前記弾性的に屈曲可能な電極に電気的に接続された第２の伝導構造体とを更に備える、請求項１から６までのいずれか一項に記載の容量性圧力センサ。
【請求項８】
前記静止電極を、前記可変キャパシタの前記可変キャパシタンスに基づく信号を生成するように構成された回路と電気的に接続するための接続手段を更に備え、前記信号が、前記底面にかけられた前記圧力を表す、請求項１から７までのいずれか一項に記載の容量性圧力センサ。
【請求項９】
前記外面が、ねじ切りされた外面を備える、請求項１から８までのいずれか一項に記載の容量性圧力センサ。
【請求項１０】
機関のシリンダ内の圧力を測定するための容量性圧力センサ装置であって、前記センサ装置が、
−  鋼製で、前記内燃機関のシリンダヘッドに取り付け可能なシリンダ形状筐体であって、前記シリンダ形状筐体が前記内燃機関の前記シリンダヘッドに取り付けられる際に、前記内燃機関の前記シリンダ内の圧力及び高温環境に露出される側壁と、底壁とを有するシリンダ形状筐体と、
−  前記筐体の中に配置された静止電極と、
−  前記シリンダ形状筐体が前記内燃機関の前記シリンダヘッドに取り付けられる際に、前記内燃機関の前記シリンダ内の圧力及び高温環境に露出される、前記シリンダ形状筐体の前記底壁の少なくとも１つを形成し、前記シリンダ内の圧力変化に反応する、弾性的に屈曲可能な電極であって、前記静止電極と前記弾性的に屈曲可能な電極は、前記内燃機関の前記シリンダ内の前記圧力変化に従って変化するキャパシタンスを有する可変キャパシタを形成する、弾性的に屈曲可能な電極と、
−  前記シリンダ形状筐体から前記静止電極を絶縁し、前記静止電極と前記弾性的に屈曲可能な電極との間の空隙を画定する絶縁構造と、
−  前記変化するキャパシタンスを表す信号を生成するための、前記可変キャパシタに接続された回路と
を備える、容量性圧力センサ装置。
【請求項１１】
前記弾性的に屈曲可能な電極が、前記筐体の前記底壁の少なくとも一部分を形成する、請求項１０に記載の容量性圧力センサ装置。
【請求項１２】
前記静止電極が、前記弾性的に屈曲可能な電極と略平行である、請求項１０又は１１に記載の容量性圧力センサ装置。
【請求項１３】
前記底壁と前記回路との間に少なくとも部分的に配置された断熱構成部品を更に備える、請求項１０から１２までのいずれか一項に記載の容量性圧力センサ装置。
【請求項１４】
前記弾性的に屈曲可能な電極が、前記底壁にかけられた２ＭＰａ（２０ｂａｒ）、５ＭＰａ（５０ｂａｒ）、８ＭＰａ（８０ｂａｒ）、１０ＭＰａ（１００ｂａｒ）、２０ＭＰａ（２００ｂａｒ）、３０ＭＰａ（３００ｂａｒ）、又は４０ＭＰａ（４００ｂａｒ）より小さい圧力で弾性的に屈曲可能である、請求項１０から１３までのいずれか一項に記載の容量性圧力センサ装置。
【請求項１５】
前記静止電極に電気的に接続された第１の伝導構造体と、前記弾性的に屈曲可能な電極に電気的に接続された第２の伝導構造体とを更に備える、請求項１０から１４までのいずれか一項に記載の容量性圧力センサ装置。
【請求項１６】
前記静止電極を、前記可変キャパシタの前記キャパシタンスに基づく信号を生成するように構成された回路と電気的に接続するための接続手段を更に備え、前記信号が、前記底壁にかけられた前記圧力を表す、請求項１０から１５までのいずれか一項に記載の容量性圧力センサ装置。
【発明の詳細な説明】
【技術分野】
【０００１】
シリンダ圧力センサは、燃焼機関の効率性及び排気を改善するために使用される。このようなセンサは、船舶用機関を含む、様々な応用分野における大型のディーゼル燃焼機関で現在使用されている。しかしながら、シリンダ圧力センサには多種多様な応用分野があり、それらは、多種多様な燃焼機関、並びに、空気圧縮機及び油圧システムなどの他のシリンダに基づいた応用分野において配設され得る。
【背景技術】
【０００２】
シリンダ圧力は、燃焼機関の閉ループ制御のための重要な制御パラメータである。圧電又はピエゾ抵抗測定のいずれかに典型的に基づいている既存のシリンダ圧力センサは、信頼性の低さ及び寿命の短さに悩まされている。多くの場合、既存のシリンダ圧力センサの運用寿命は、期待される主要な機関のオーバーホール時間限界の１０分の１である。現行のセンサの信頼性の低さ及び寿命の短さは、機関の維持費の大幅な増加及びサービス不能時間の増加を引き起こしている。実例として、既存のシリンダ圧力センサは、約２０００時間の典型的な寿命を有し、このようなセンサの船舶の応用分野についての目標は、１６０００時間である。
【０００３】
典型的には、ピエゾ抵抗の類のシリンダ圧力センサは、屈曲膜に装着される歪みゲージを含む。屈曲膜がゲージを曲げ、センサゲージの電気抵抗率が変化する。電気抵抗率のこの変化が測定され得る。圧電センサは、動く膜と剛性支持体との間で予張力で圧縮された圧電セラミックを含む。膜へ圧力を印可することで、測定され得る電荷を生じさせる。
【０００４】
典型的には、既存のセンサの設計では、測定要素は、偏向している熱い膜と直接接触する。これは、測定要素に対し、高い機械的応力及び熱応力を引き起こす。従って、センサ要素と膜との間の断熱が必要である。このような実装は難しく、難解な機械的解決策に至ることが多い。提示される解決策では、これらの問題が解決され、単純で信頼性のある圧力センサが実装され得る。
【発明の概要】
【発明が解決しようとする課題】
【０００５】
本発明のある特定の実施例の目的は、単純で信頼性のある容量性圧力センサを提供することである。このような実施例を通じ、単純で、堅牢な信頼性のある容量性シリンダ圧力センサが実現され得る。
【課題を解決するための手段】
【０００６】
本発明のある特定の実施例は、燃焼機関で使用され得る容量性圧力センサを提供する。このような容量性圧力センサは、燃焼機関の中のシリンダ圧力の測定を可能にする。
【０００７】
内燃機関のシリンダによってもたらされる高温及び繰返し応力が、圧力センサの使用を難しいものとする。本発明のいくつかの実施例は、圧力センサのある特定の構成部品をシリンダの高熱及び高圧力環境から絶縁することにより、これらの難しい環境の測定を可能にする。
【０００８】
本発明のいくつかの実施例は、筐体と、可変キャパシタと、関連回路とを備える。筐体は、底面と、外面とを有する鋼製シリンダから形成され得る。外面は、燃焼機関のシリンダヘッドへの設置を可能にするようにねじ切りされ得る。可変キャパシタは、静止電極と、弾性的に屈曲可能な電極とによって形成され得る。底面にかけられた圧力は、弾性的に屈曲可能な電極を屈曲させるように作用する。この屈曲は、可変キャパシタのキャパシタンスを変える。関連回路は、可変キャパシタの可変キャパシタンスに基づく信号を生成するように構成され得る。このキャパシタンスは、底面にかけられた圧力を表す。従って、熱い膜への機械的な接触は必要ではなく、既存の解決策のある特定の問題は回避される。
【０００９】
本発明のいくつかの実施例は、低温同時焼成セラミックス（ＬＴＣＣ）などのセラミックスを使用する。これらのセラミックスは、センサの筐体内部の構造体を形成する役割を果たすことができる。
【００１０】
本発明の第１の態様によれば、燃焼機関のシリンダヘッドに取り付け可能な容量性圧力センサが提供される。筐体は、底面と、可変キャパシタとを有する。可変キャパシタは、静止電極と、弾性的に屈曲可能な電極とによって形成される。静止電極は、筐体の中に配置され、弾性的に屈曲可能な電極２４は、底面にかけられた圧力によって曲げられるように配設され、これにより、可変キャパシタの可変キャパシタンスは、底面にかけられた圧力を表す。センサは、可変キャパシタの圧力依存性のキャパシタンスに基づく信号を生成するように構成された回路３０も備えることができ、この信号は、底面にかけられた圧力を表す。
【００１１】
第１の態様の様々な実施例は、以下の中黒の一覧から少なくとも１つの特徴を含むことができる。
・弾性的に屈曲可能な電極は、底面の少なくとも一部分を形成する。
・静止電極は、弾性的に屈曲可能な電極と略平行である。
・底面は、燃焼機関のシリンダに露出されるように構成される。
・弾性的に屈曲可能な電極は、燃焼機関のシリンダに露出されるように構成される。
・容量性圧力センサは、底面と回路との間に少なくとも部分的に配置された断熱構成部品を更に備える。
・弾性的に屈曲可能な電極は、底面にかけられた２ＭＰａ（２０ｂａｒ）、５ＭＰａ（５０ｂａｒ）、８ＭＰａ（８０ｂａｒ）、１０ＭＰａ（１００ｂａｒ）、２０ＭＰａ（２００ｂａｒ）、３０ＭＰａ（３００ｂａｒ）、又は４０ＭＰａ（４００ｂａｒ）より小さい圧力で弾性的に屈曲可能である。
・底面と回路との間の熱伝導率は、３．５（Ｗ／（ｍ・Ｋ））未満である。
・静止電極は、低温同時焼成セラミック（ＬＴＣＣ）などのセラミックから構成される。
・容量性圧力センサは、静止電極に電気的に接続された第１の伝導構造体と、弾性的に屈曲可能な電極に電気的に接続された第２の伝導構造体とを更に備える。
【００１２】
本発明の第２の態様によれば、容量性圧力センサを内燃機関のシリンダヘッドに設置する方法が提供される。
【００１３】
本発明の第３の態様によれば、容量性圧力センサを有するシリンダヘッドを備える燃焼機関が提供される。
【００１４】
本発明の第４の態様によれば、本発明のいずれかの実施例の容量性圧力センサを備える、燃焼機関のためのシリンダヘッドが提供される。
【００１５】
本発明の第５の態様によれば、機関のシリンダ内の圧力を測定するための容量性圧力センサ装置が提供され、このセンサ装置は、内燃機関のシリンダヘッドに取り付け可能な、側壁を有するシリンダ形状筐体と、筐体の中に配置された静止電極と露出され、シリンダ内の圧力変化に反応する可動電極であって、該圧力変化に従って変化するキャパシタンスを有するキャパシタを形成する電極と、該変化するキャパシタンスを表す信号を生成するための回路とを備える。
【００１６】
本発明は、独立請求項の特徴によって定義される。いくつかの特定の実施例は、従属請求項において定義される。
【図面の簡単な説明】
【００１７】
【図１】シリンダ形状筐体を有し、静止電極と、弾性的に屈曲可能な電極とによって形成される可変キャパシタを備える、少なくともいくつかの例示的な実施例による容量性圧力センサの概略図である。
【図２】弾性的に屈曲可能な電極が筐体の一部分を形成している、本発明の少なくともいくつかの例示的な実施例による容量性圧力センサの概略図である。
【図３】静止電極が鋼から作製され、セラミック絶縁体で絶縁される、本発明の少なくともいくつかの例示的な実施例による容量性圧力センサの概略図である。
【図４】静止電極と弾性的に屈曲可能な電極の両方が、低温同時焼成セラミックス（ＬＴＣＣ）によって形成される、本発明の少なくともいくつかの例示的な実施例による容量性圧力センサの概略図である。
【図５】本発明の少なくともいくつかの例示的な実施例によるキャパシタンス読み出しソリューションを示す図である。
【発明を実施するための形態】
【００１８】
本発明のある特定の実施例では、センサの筐体は、底面と、側面と、頂面とによって画定される。筐体は、円形の頂面及び底面を有するシリンダ形状であり得る。この場合、側面は、シリンダの周囲に沿った表面となる。
【００１９】
本発明のいくつかの実施例によれば、容量性圧力センサは、底面を有する筐体と、可変キャパシタと、関連回路とを備えるものとして提供される。可変キャパシタは、静止電極と、弾性的に屈曲可能な電極とによって形成される。底面にかけられた圧力は、弾性的に屈曲可能な電極を屈曲させるように作用する。この屈曲は、可変キャパシタのキャパシタンスを変える。回路は、可変キャパシタの可変キャパシタンスに基づく信号を生成するように構成される。このキャパシタンスは、底面にかけられた圧力を表す。回路は、筐体の内側、筐体の外側、又は筐体から離れた外側に配置され得る。回路は、同軸ワイヤなどの適切な電気的接続手段によって可変キャパシタに電気的に接続され得る。
【００２０】
図１は、本発明の少なくともいくつかの実施例による容量性圧力センサ１００の概略図である。容量性圧力センサ１００は、燃焼機関のシリンダヘッドに取り付け可能である。容量性圧力センサは、筐体１０と、可変キャパシタ２０と、関連回路３０とを備える。筐体は、底面１２を有する。可変キャパシタ２０は、静止電極２２と、弾性的に屈曲可能な電極２４とによって形成される。静止電極２２は、筐体１０の中に配置され、弾性的に屈曲可能な電極２４は、静止電極２２と底面１２との間に配設される。センサは、可変キャパシタ２０の可変キャパシタンスに基づく信号を生成するように構成された関連回路３０も有することができ、この信号は、底面１２にかけられた圧力を表す。
【００２１】
図１に示されるように、本発明のいくつかの実施例では、弾性的に屈曲可能な電極２４は、底面１２の少なくとも一部分を形成することができる。
【００２２】
本発明のある特定の実施例では、筐体１０の外面１４はシリンダ形状である。筐体はシリンダを形成することができる。このような実施例では、シリンダの底部は、それが、圧力の関数として偏向するように寸法決めされ得る。
【００２３】
ある特定の実施例では、内部構造体は、セラミックス、例えば、低温同時焼成セラミックスによって形成され得る。この場合、ＬＴＣＣ層が内部構造体を形成することができる。この構造体は、可変キャパシタ２０を形成する静止電極２２と弾性的に屈曲可能な電極２４との間に空隙を提供することができる。内部構造体は、底面１２と残りの構成部品との間の熱絶縁体としても機能することができる。
【００２４】
図１に示されるように、ある特定の実施例では、内部構造体は、筐体１０の中で機械的に圧縮され得る。これは、機械的なクランプ構造によって達成され得る。機械的なクランプ構造は、圧縮ナット７６と、ＰＣＢ７０と、第１の伝導構造体６２とから構成され得る。圧縮ナットは、ばね７４によって機械的なクランプ構造から離間されてもよい。この場合、ばね７４が、適切なクランプ力を確保する。
【００２５】
電気的接触子６０及び第１の伝導構造体６２も、図１の中に示されている。伝導構造体は、静止電極２２を回路３０に、例えばプリント回路基板（ＰＣＢ）７０を介して電気的に接続することができる。回路３０は、プリント回路基板７０に固定され得る。回路３０は、第１の伝導構造体６２に、ＰＣＢ７０を通じて電気的に接続され得る。
【００２６】
図１によって更に示されるように、ある特定の実施例では、静止電極は、ＬＴＣＣなどのセラミックから構成され得る。これは、層状に形成され得る。
【００２７】
回路によって生成された信号を伝送するためのワイヤ３２も、図１に示されている。このワイヤ３２は、センサが装備された機関をクローズ制御するために、機関制御ユニットへ信号を伝送することができる。
【００２８】
ある特定の実施例では、容量性圧力センサは、筐体１０の外面１４の少なくとも一部分に配置されたねじ山４０を更に備えることができる。
【００２９】
本発明のいくつかの実施例では、筐体１０は、ねじ切りされた外面１４を有することができる。
【００３０】
容量性圧力センサのいくつかの実施例では、弾性的に屈曲可能な電極２４は、底面１２にかけられた圧力に反応して弾性的に屈曲するように配設され得る。
【００３１】
本発明のある特定の実施例では、容量性圧力センサの測定分解能は、以下の式を用いて予測され得る。ΔＰｍｉｎ＝（ｄ／β）・（ΔＶ／Ｖ）、ここで、β＝（Δｄ）／ΔＰである。式中、ΔＰｍｉｎは、測定分解能を意味し、ｄは、静止電極２２と弾性的に屈曲可能な電極２４との間の距離であり、Δｄは、弾性的に屈曲可能な電極の変位であり、ΔＰは、圧力変化であり、ΔＶは、電子ノイズを表し、Ｖは、印可された測定電圧である。与えられた式による予測の実例として、機械的感度がβ＝７０ｎ／ＭＰａ（７ｎ／ｂａｒ）、電極空隙がｄ＝５０μｍ、電ノイズがΔＶ＝３ｎＶ／√Ｈｚ、測定電圧がＶ＝３Ｖの場合、１０ｋＨｚの帯域の分解能は、約１ｈＰａ（１ｍｂａｒ）である。例えば、１ＭＷより大きい容量のディーゼル機関用に必要とされる測定分解能は、１ＭＰａ（１０ｂａｒ）＠１０ｋＨｚＢＷである。
【００３２】
ある特定の実施例では、静止電極２２は、筐体１０の外面１４に対し略垂直に配置され得る。
【００３３】
本発明のいくつかの実施例では、底面１２は、燃焼機関のシリンダに露出されるように構成され得る。
【００３４】
本発明のある特定の実施例では、弾性的に屈曲可能な電極２４は、燃焼機関のシリンダに露出されるように構成され得る。
【００３５】
図２は、圧縮ナット７６が機械的クランプ力を提供することができる、本発明のある特定の例示的な実施例による容量性圧力センサ１００の概略図である。クランプ力は、静止電極２２を筐体１０に固定させる。絶縁体５２は、静止電極２２と筐体１０との間に少なくとも部分的に配置され得る。絶縁体は、セラミックとすることができる。絶縁体は、ＭＩＣＡであってもよい。絶縁体は、静止電極２２を筐体１０から電気的に絶縁する。
【００３６】
いくつかの実施例は、圧縮ナット７６と静止電極２２との間に少なくとも部分的に配置されたばね７４を備えることができる。静止電極２２は、更なる絶縁体５２によってばね７４から電気的に絶縁され得る。
【００３７】
断熱構成部品は、圧縮ナット７６と支持プレート７２との間に配置され得る。
【００３８】
図３は、本発明のある特定の実施例による容量性圧力センサ１００の概略図である。静止電極２２は、鋼から構成され、絶縁体５２で絶縁され得る。絶縁体は、セラミックとすることができる。絶縁体は、ＭＩＣＡであってもよい。絶縁体は、静止電極２２を筐体１０から電気的に絶縁する。静止電極２２は、筐体に締めボルト又は締めねじ８２を介して留められ得る。締めボルト又は締めねじ８２も、絶縁体５２によって静止電極２２から絶縁され得る。ばね７４は、静止電極２２と締めボルト又は締めねじ８２との間に配置され得る。
【００３９】
断熱構成部品は、静止電極２２と支持プレート７２との間に配置され得る。ＰＣＢ７０は、支持プレート７２によって少なくとも部分的に支持され得る。可変キャパシタ２０の可変キャパシタンスに基づく信号を生成するように構成された回路３０がＰＣＢに固定され得る。回路３０は、代替え的には様々な他の方法で筐体の内側、筐体の外側、又は筐体から離れた外側に配置され得る。可変キャパシタ及び／又はＰＣＢ７０に電気的に接続され、筐体から離れて配置された別の構成部品又は回路３０に接続されることができるワイヤ３２が提供され得る。
【００４０】
同軸ワイヤ３４は、静止電極２２を回路３０と電気的に接続するために提供され得る。回路は、筐体の内側、筐体の外側、又は筐体から離れた外側に配置され得る。同軸ワイヤ３４は、静止電極２２に締め付け接触子（ｃｌａｍｐｅｄ  ｃｏｎｔａｃｔ）６６を介して接続され得る。同軸ワイヤ３４又は対応する接続している電極及び締め付け接触子６６は、静止電極２２の一体化された部分であってもよい。
【００４１】
可変キャパシタ２０は、静止電極２２と、筐体１０の一部分を形成する弾性的に屈曲可能な電極２４とによって形成され得る。
【００４２】
図３に示されるように、本発明のある特定の実施例では、断熱構成部品５０は、底面１２と回路３０との間に少なくとも部分的に配置され得る。この断熱構成部品は、例えばロックウールとすることができる。
【００４３】
本発明のある特定の実施例によれば、容量性圧力センサは、内燃機関のシリンダヘッドに取り付け可能である。
【００４４】
図４は、本発明のある特定の実施例による容量性圧力センサの概略図である。示された実施例では、センサの内部構造体は、接着剤８０を介して筐体に接着され得る。この接着剤は、それが、底面１２と内部構造体との間にあるように筐体に塗布され得る。このような用途では、高温糊、例えばセラミック接着剤が使用され得る。
【００４５】
底面１２を形成する筐体の一部分が弾性的に屈曲するとき、それは、弾性的に屈曲可能な電極を屈曲させ、可変キャパシタの可変容量を変化させる。
【００４６】
図４にも示されるように、弾性的に屈曲可能な電極２４は、ＬＴＣＣなどのセラミックから構成され得る。
【００４７】
図４に示されるように、本発明のある特定の実施例では、静止電極２２に電気的に接続された第１の伝導構造体６２と、弾性的に屈曲可能な電極２４に電気的に接続された第２の伝導構造体６４とが存在する。これらの構造体は、電極をＰＣＢ７０及び／又は回路３０に電気的に接続する。
【００４８】
本発明のいくつかの実施例では、断熱構成部品５０は、底面１２と弾性的に屈曲可能な電極２４との間に少なくとも部分的に配置され得る。
【００４９】
構造材料の層７８も図４に示される。これらの層も、ＬＴＣＣなどのセラミックから構成され得る。
【００５０】
図５は、本発明のある特定の実施例によるキャパシタンス読み出しソリューションを示す。
【００５１】
本発明のある特定の実施例では、導電構成部品は、例えばＬＴＣＣなどのセラミック内で一体化される。
【００５２】
本発明のいくつかの実施例では、弾性的に屈曲可能な構成部品は、燃焼機関の燃焼室の中で見られる圧力に晒されたときに弾性的に屈曲可能であり得る。ある場合には、弾性的に屈曲可能な電極２４は、底面１２にかけられた２ＭＰａ（２０ｂａｒ）、５ＭＰａ（５０ｂａｒ）、８ＭＰａ（８０ｂａｒ）、１０ＭＰａ（１００ｂａｒ）、２０ＭＰａ（２００ｂａｒ）、３０ＭＰａ（３００ｂａｒ）、又は４０ＭＰａ（４００ｂａｒ）より小さい圧力で弾性的に屈曲可能であり得る。
【００５３】
本発明のある特定の実施例では、回路３０は、底面１２から熱的に隔離され得る。底面１２と回路３０との間の熱伝導率は、例えば３．５（Ｗ／（ｍ・Ｋ））未満であり得る。
【００５４】
本発明のいくつかの実施例では、筐体１０の底面１２は、弾性的に屈曲可能であり得る。この場合、底面１２と弾性的に屈曲可能な電極２４との間の構成部品も、弾性的に屈曲可能であり得る。
【００５５】
本発明の実施例による容量性圧力センサの設置方法は、容量性圧力センサを燃焼機関のシリンダヘッドに固定させるステップを備える。
【００５６】
本発明のいくつかの実施例による内燃機関は、シリンダヘッドであって、該シリンダヘッドに固定される本発明の実施例による容量性圧力センサを有するシリンダヘッドを備える。
【００５７】
本発明のいくつかの実施例による燃焼機関のためのシリンダヘッドは、該シリンダヘッドに固定される本発明の実施例による容量性圧力センサを備える。
【００５８】
開示された本発明の実施例は、本明細書で開示された特定の構造、プロセス、ステップ、又は材料に限定されるものではなく、当業者によって認識されるようなそれらの均等物に拡張されることを理解されたい。本明細書で使用される用語は、特定の実施例のみを説明する目的で使用され、限定を目的としないことも理解すべきである。
【００５９】
本明細書を通して１つの実施例又はある実施例を参照するということは、実施例と関連して記載された特定の特徴、構造、又は特性が、本発明の少なくとも１つの実施例に含まれることを意味する。従って、本明細書を通して様々な場面での「１つの実施例では」又は「ある実施例では」という語句の出現は、必ずしも全て同じ実施例を参照しているわけではない。例えば、約、又は略などの用語を使用して数値を参照する場合、厳密な数値も開示される。
【００６０】
本明細書で使用されるように、複数の事項、構造要素、組成要素、及び／又は材料は、便宜上、共通リストで提示されることもあり得る。しかしながら、これらのリストは、あたかもリストの各メンバーが、別個の且つ独自のメンバーとして個々に認識されると解釈すべきである。従って、このようなリストのいかなる個々のメンバーも、反対の指摘のない限り、共通のグループでのそれらの提示だけに基づき、同じリストの任意の他のメンバーの事実上の均等物として解釈されるべきではない。加えて、本発明の様々な実施例及び実例は、それらの様々な構成部品についての代替案とともに本明細書で言及されることもある。このような実施例、実例、及び代替案は、互いの事実上の均等物と解釈されるべきでなく、本発明の別個の自律的な表現と考えるべきであると理解される。
【００６１】
更に、記載された特徴、構造、又は特性は、任意の適切な方法で１つ又は複数の実施例において組み合わされてもよい。以下の記載では、本発明の実施例の完全な理解を提供するために、長さ、幅、形状などの実例などの、多数の具体的詳細が提供される。しかしながら、当業者は、本発明が、１つ又は複数の具体的詳細を用いず、又は他の方法、構成部品、材料などを用いて実施され得ることを認識するであろう。他の例では、周知の構造、材料、又は動作は、本発明の態様を不明瞭にすることを避けるために、詳細には図示されない又は記載されない。
【００６２】
前述の実例は、１つ又は複数の特定の応用分野での本発明の原理の説明であるが、実施の形態、使用、及び詳細での多数の変更が、発明能力の行使なしに、且つ、本発明の原理及び概念から逸脱することなくなされてもよいことは、当業者には明らかであろう。従って、本発明が、以下に明記される特許請求の範囲による場合を除き、限定されることは意図されない。
【００６３】
動詞「備える」及び「含む」は、未記載の特徴も存在することを排除しない又は必要としない、オープンな制限として本明細書で使用される。従属請求項に記載された特徴は、他に明白に述べられていない限り、相互に自由に組み合わせ可能である。更に、本明細書を通して、「ａ」又は「ａｎ」、即ち単数形の使用は、複数を排除するものでないことが理解されるべきである。
【産業上の利用可能性】
【００６４】
本発明の少なくともいくつかの実施例は、燃焼機関の制御システムにおいて産業上の応用分野を見出す。いくつかの実施例は、空気圧縮機及び油圧システムなどの高温及び／又は高圧力での他の厳しい環境における圧力センサの応用分野を含む。
【符号の説明】
【００６５】
１０  筐体
１２  底面
１４  外面
２０  可変キャパシタ
２２  静止電極
２４  弾性的に屈曲可能な電極
３０  回路
３２  ワイヤ
３４  同軸ワイヤ
４０  ねじ山
５０  断熱構成部品
５２  絶縁体
６０  電気的接触子
６２  第１の伝導構造体
６４  第２の伝導構造体
６６  締め付け接触子
７０  プリント回路基板（ＰＣＢ）
７２  支持プレート
７４  ばね
７６  圧縮ナット
７８  構造材料の層
８０  接着剤
８２  締めねじ
１００  圧力センサ
Ｐ  圧力
【図１】
0006681972.tif 000002
【図２】
0006681972.tif 000003
【図３】
0006681972.tif 000004
【図４】
0006681972.tif 000005
【図５】
0006681972.tif 000006